(57)【要約】【課題】複数の選択肢から複数の選択肢を選択することを容易にする表示制御装置を提供すること。【解決手段】表示画面を模した画像の表示が可能な表示制御手段を有し、機能ごとに機能が有効に機能している前記表示画面を模した画像を１種類以上有する機能を１種類以上有し、前記機能のうち、少なくとも１つの機能は前記表示画面を模した画像を２種類以上有し、前記機能のうち、特定の１つが選択された場合には、その機能に対応した前記表示画面を模した１種類以上の画像を順次表示更新する表示制御手段を有し、前記表示画面を模した画像を有する機能を表示画面で有効にするか無効にするかを機能ごとに設定できる制御手段とを有することを特徴とする。【選択図】図４
2016058985.tif 000002
【特許請求の範囲】
【請求項１】
表示画面を模した画像の表示が可能な表示制御手段（１０１）を有し、
機能ごとに機能が有効に機能している前記表示画面を模した画像を１種類以上有する（１１４）機能を１種類以上有し、
前記機能のうち、少なくとも１つの機能は前記表示画面を模した画像を２種類以上有し、（１１４）
前記機能のうち、特定の１つが選択された場合には、その機能に対応した前記表示画面を模した１種類以上の画像を順次表示更新する表示制御手段（１０１）を有し、
前記表示画面を模した画像を有する機能を表示画面で有効にするか無効にするかを機能ごとに設定できる制御手段（１０１）と
を有することを特徴とする表示制御装置。
【請求項２】
表示画面を模した画像の表示が可能な表示制御手段（１０１）を有し、
機能ごとに機能が有効に機能している前記表示画面を模した画像を１種類以上有する（１１４）機能を１種類以上有し、
前記機能のうち、少なくとも１つの機能は前記表示画面を模した画像を２種類以上有し、（１１４）
前記表示画面を模した画像を有する機能を表示画面で有効にするか無効にするかを機能ごとに設定できる制御手段（１０１）を有し、
有効に設定された機能について、対応した前記表示画面を模した画像を順次表示更新する表示制御手段（１０１）と
を有することを特徴とする表示制御装置。
【請求項３】
請求項１または２に記載の機能とは、ヒストグラム表示（３０１）または、グリッド表示（３０３）、または、水準器表示（３０４）、またはピーキング表示（３０５）である
ことを特徴とする表示制御装置。
【請求項４】
撮像可能（１０６）である請求項１乃至請求項３の何れか一項に記載の表示制御装置。
【発明の詳細な説明】
【技術分野】
【０００１】
本発明は、表示項目を選択可能な表示制御装置に関し、特に画像を用いたガイダンス表示が可能な表示制御装置に関する。
【背景技術】
【０００２】
従来、撮影モードごとにその撮影モードの特徴を表した画像を用意し、撮影モードの選択は撮影モードに対応した画像を選ぶことで決定する技術は特許文献１に開示されている。
【先行技術文献】
【特許文献】
【０００３】
【特許文献１】特開２００７−１９４８１９号公報
【発明の概要】
【発明が解決しようとする課題】
【０００４】
しかしながら、上述の特許文献１に開示された従来技術では、複数の項目から１つの項目を選ぶことはできるが、複数の項目から必要な複数の項目にチェックマークを付けて選ぶような場合、１項目に１画像では、その項目を十分に理解できず、適切な選択が行えない。
【０００５】
そこで、本発明の目的は、項目単位で項目を理解しやすい表示を行うことで、複数の項目の中から必要な複数の項目の選択を容易にする表示制御装置を提供することにある。
【課題を解決するための手段】
【０００６】
上記目的を達成するために、本発明の表示制御装置は、
表示画面を模した画像の表示が可能な表示制御手段を有し、
機能ごとに機能が有効に機能している前記表示画面を模した画像を１種類以上有する機能を１種類以上有し、
前記機能のうち、少なくとも１つの機能は前記表示画面を模した画像を２種類以上有し、
前記機能のうち、特定の１つが選択された場合には、その機能に対応した前記表示画面を模した１種類以上の画像を順次表示更新する表示制御手段を有し、
前記表示画面を模した画像を有する機能を表示画面で有効にするか無効にするかを機能ごとに設定できる制御手段と
を有することを特徴とする。
【発明の効果】
【０００７】
本発明によれば、複数の選択肢から複数の選択肢を選択することが容易な表示制御装置を提供することができる。
【図面の簡単な説明】
【０００８】
【図１】本発明の実施形態に係る表示制御装置の外観図である。
【図２】本発明の実施形態に係る表示制御装置の全体構成を示すブロック図である。
【図３】ライブビューカスタマイズ画面の表示形式である。
【図４】機能の効果を表す画像の表示形式である。
【図５】機能の効果を表す画像を表示するフローチャートである。
【図６】機能の効果を表す画像の表示形式である。
【図７】（ａ）はライブビューカスタマイズ画面である。（ｂ）から（ｆ）は（ａ）の設定結果に応じたライブビューを模した画面である。
【発明を実施するための形態】
【０００９】
以下、図面を参照して本発明の好適な実施形態を説明する。
【００１０】
図１に本発明の電子機器の一例としてのデジタルカメラの外観図を示す。表示部１１１は画像や各種情報を表示する表示部である。シャッターボタン１１６は撮影指示を行うための操作部である。モードダイヤル１１７は各種モードを切り替えるための操作部である。メインダイヤル５０、情報表示切替ボタン５５、ＭＥＮＵボタン５６、ライブビューボタン６０、撮影設定ボタン７０、上下左右ボタン８０、ＳＥＴボタン９０はユーザーからの操作を受け付ける操作部材である。
【００１１】
図２は、本実施形態によるデジタルカメラ１００の構成例を示すブロック図である。図２において、撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１２】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１４】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、スルー画像表示を行える。
【００１５】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１６】
システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部はメモリ１０９、Ｄ／Ａ変換器１１０、表示部１１１等を制御することにより表示制御も行う。
【００１７】
システムタイマー１１２は各種制御に用いる時間や、内蔵された時計の時間を計測する計時部である。モードダイヤル１１７、第１シャッタースイッチ１１６ａ、第２シャッタースイッチ１１６ｂはシステム制御部１０１に各種の動作指示を入力するための操作手段である。
【００１８】
モードダイヤル１１７は、システム制御部１０１の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モードダイヤル１１７で、静止画撮影モードに含まれるこれらのモードのいずれかに直接切り替えられる。あるいは、モードダイヤル１１７で静止画撮影モードに一旦切り換えた後に、静止画撮影モードに含まれるこれらのモードのいずれかに、他の操作部材を用いて切り替えるようにしてもよい。
【００１９】
同様に、動画撮影モードにも複数のモードが含まれていてもよい。第１シャッタースイッチ１１６ａは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２０】
第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。
【００２１】
操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、ＭＥＮＵボタン５６が押されると各種の設定可能なメニュー画面が表示部１１１に表示される。利用者は、表示部１１１に表示されたメニュー画面と、上下左右ボタン８０やＳＥＴボタン９０とを用いて直感的に各種設定を行うことができる。
【００２２】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部へ供給する。
【００２３】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１２２は、メモリカードやハードディスク等の記録媒体１２３とのインターフェースである。記録媒体１２３は、撮影された画像を記録するためのメモリカード等の記録媒体であり、半導体メモリや磁気ディスク等から構成される。
【００２４】
［実施例１］
以下、図３から図６を参照して、本発明の第1の実施例の動作を説明する。図３は、ライブビュー画面で表示する情報または機能を有効にするか無効にするかを選択する画面と、選択結果によるライブビュー画面の表示である。ライブビュー画面では様々な情報を表示できるが、表示する情報が多いと撮像した画像を隠してしまい、撮影の妨げになることがある。表示する情報または機能をユーザーが選択可能とすることで、必要な情報または機能を表示しつつ、撮影の妨げにならない表示をユーザーの好みに応じて選択するための機能であり、ライブビューカスタマイズと呼ぶこととする。
【００２５】
図３（ａ）はライブビューカスタマイズ画面である。３０１から３０５はライブビュー画面で表示可能な機能であり、ＳＥＴボタン９０を押下することで、チェックマーク３０６を付加したり外したりすることができる。ライブビューを模した画像３０７はカスタマイズ結果を視覚的にわかりやすくするための表示で、不揮発性メモリ１１４にあらかじめ用意された画像である。チェックマーク３０６の付加状況に応じて、情報表示３０８から３１１も表示される。ヒストグラム表示３０８は、３０１にチェックマークが付加されることで表示される。
【００２６】
撮影モード表示３０９と露出制御表示３１０は、３０２にチェックマークが付加されることで表示され、表示例としての表示のため、カメラの設定とは無関係なあらかじめ決められた設定値が表示される。グリッド線表示３１１は、３０３にチェックマークが付加されることで表示される。
【００２７】
図３（ｂ）は図３（ａ）のカスタマイズ結果をもとにしたライブビュー表示である。ライブビュー画像３１２は、表示制御装置が撮像している画像である。ヒストグラム表示３１３は、ライブビュー画像３１２に応じた表示である。撮影モード表示３１４と露出制御表示３１５は、カメラの設定に応じた設定値が表示される。図３（ｃ）はライブビューカスタマイズ画面で、チェックマークが付加されていない場合の表示である。ライブビューを模した画像３０７のみ表示される。図３（ｄ）は図３（ｃ）のカスタマイズ結果をもとにしたライブビュー表示である。ライブビュー画像３１２のみ表示される。
【００２８】
図４は、１つの機能に対し、ライブビューを模した画像が複数ある場合のライブビューカスタマイズ画面の表示であり、ヒストグラムを例にした場合の表示である。以下で述べるライブビューを模した複数の画像（４０２、４０５、４０８）は、不揮発性メモリ１１４あるは記録媒体１２３に予め記録された画像を再生したものである。機能を選択するフォーカス４０１がヒストグラムにあるため、ライブビューを模した画像４０２はヒストグラムに関連した画像を表示する。
【００２９】
図４（ａ）はライブビューを模した画像４０２に適正露出な画像を表示した図である。ヒストグラム４０３は適正露出の画像に応じた形状で表示する。図４（ｂ）はライブビューを模した画像４０５に露出オーバーな画像を表示した図である。ヒストグラム４０６は露出オーバーの画像に応じた形状で表示する。図４（ｃ）はライブビューを模した画像４０８に露出アンダーな画像を表示した図である。ヒストグラム４０９は露出アンダーの画像に応じた形状で表示する。
【００３０】
図４（ｄ）は図４（ａ）のヒストグラムを表示しない図である。ヒストグラムにチェックマークがないため、ヒストグラムは表示しない。図４（ｅ）は図４（ｂ）のヒストグラムを表示しない図である。ヒストグラムにチェックマークがないため、ヒストグラムは表示しない。図４（ｆ）は図４（ｃ）のヒストグラムを表示しない図である。ヒストグラムにチェックマークがないため、ヒストグラムは表示しない。ヒストグラムの形状は画像によって異なるため、同じ被写体を適正露出、露出オーバー、露出アンダーと変化させ、それらに応じたヒストグラムを表示することで、露出とヒストグラムの関係が理解できる。
【００３１】
ヒストグラムにチェックマークがあれば、図４（ａ）、図４（ｂ）、図４（ｃ）の順に所定の間隔で表示更新し、チェックマークがなければ、図４（ｄ）、図４（ｅ）、図４（ｆ）の順に所定の間隔で表示更新する。ユーザーがヒストグラムについて理解しやすくなる表示であれば、露出に変化のある画像ではなく、被写体に変化のある画像でもよい。上記のとおり、１つの機能に対し、関連する複数の画像を順次表示更新することで、その機能を有効にした場合の効果を理解できるようになる。これにより、ライブビューカスタマイズ画面で、機能を有効にするか無効にするかの判断を、機能を理解したうえで行うことができる。
【００３２】
図５は、図４のフォーカス４０１の移動に関する制御のフローチャートである。この処理は、不揮発性メモリ１１４に記憶されたプログラムを、システムメモリ１１３をワークメモリとしてシステム制御部１０１が実行することにより実現する。
【００３３】
Ｓ５０１でフォーカスの設定値をヒストグラムに変更し、Ｓ５０２に進む。Ｓ５０２でフォーカスの設定値がヒストグラムかどうかを判断し、ヒストグラムの場合はＳ５０６に進み、ヒストグラムでない場合はＳ５０３に進む。Ｓ５０３でフォーカスの設定値が情報表示かどうかを判断し、情報表示の場合はＳ５０７に進み、情報表示でない場合はＳ５０４に進む。Ｓ５０４でフォーカスの設定値がグリッドかどうかを判断し、グリッドの場合はＳ５０８に進み、グリッドでない場合はＳ５０５に進む。
【００３４】
Ｓ５０５でフォーカスの設定値が水準器かどうかを判断し、水準器の場合はＳ５０９に進み、水準器でない場合はＳ５１０に進む。Ｓ５０６でヒストグラムにフォーカスを表示し、ヒストグラム用のフローチャートＢに進む。Ｓ５０７で情報表示にフォーカスを表示し、情報表示用のフローチャートＣに進む。Ｓ５０８でグリッドにフォーカスを表示し、グリッド用のフローチャートＤに進む。Ｓ５０９で水準器にフォーカスを表示し、水準器用のフローチャートＥに進む。Ｓ５１０でピーキングにフォーカスを表示し、ピーキング用のフローチャートＦに進む。
【００３５】
フローチャートＢは図６で説明するが、フローチャートＣからフローチャートＦは、フローチャートＢと類似であるため省略する。各フローチャートの違いは、表示する画像の形状と数である。機能ごとにその機能を理解できる画像の形状と数が異なるためである。
【００３６】
図６は、図４のようにフォーカス４０１がヒストグラムの場合に、ライブビューを模した画像を所定の間隔で更新するフローチャートである。Ｓ６０１でフォーカス移動直後の初期状態かどうかを判断し、初期状態の場合はＳ６０４に進み、初期状態でない場合はＳ６０２進む。Ｓ６０２でライブビューを模した画像が露出アンダーの画像かどうかを判断し、露出アンダーの画像の場合はＳ６０４に進み、露出アンダーの画像でない場合はＳ６０３に進む。
【００３７】
Ｓ６０３でライブビューを模した画像が適正露出の画像かどうかを判断し、適正露出の画像の場合はＳ６０５に進み、適正露出の画像でない場合はＳ６０６に進む。Ｓ６０４でライブビューを模した画像に適正露出の画像を表示し、Ｓ６０７に進む。Ｓ６０５でライブビューを模した画像に露出オーバーの画像を表示し、Ｓ６０７に進む。Ｓ６０６でライブビューを模した画像に露出アンダーの画像を表示し、Ｓ６０７に進む。Ｓ６０７でライブビューを模した画像を表示更新するためのタイマーを設定し、Ｓ６０８に進む。
【００３８】
Ｓ６０８でヒストグラム表示を有効にするか無効にするかのチェックマークが付加されているかを判断し、付加されている場合はＳ６１０に進み、付加されていない場合はＳ６０９に進む。Ｓ６０９でヒストグラムを非表示にし、Ｓ６１１に進む。Ｓ６１０でＳ６０４からＳ６０６のいずれかで表示した画像に対応したヒストグラムを表示し、Ｓ６１１に進む。
【００３９】
Ｓ６１１でＳ６０７で設定したタイマーが所定時間経過したか判断し、経過した場合はＳ６０１に進み、経過していない場合はＳ６１２に進む。Ｓ６１２でライブビューカスタマイズ画面終了の要求があるかどうかを判断し、終了要求がある場合はライブビューカスタマイズ画面を終了し、終了要求がない場合はＳ６１３に進む。Ｓ６１３でヒストグラムを選択していたフォーカスの移動が、上下左右ボタン８０の操作により発生したかどうかを判断し、移動がある場合はＳ６１５に進み、移動がない場合はＳ６１４に進む。
【００４０】
Ｓ６１４でヒストグラム表示を有効にするか無効にするかの設定に変化があるかを判断し、変化がある場合はＳ６０８に進み、変化がない場合はＳ６１１に進む。Ｓ６１５でフォーカスの設定値をヒストグラムから別の設定値に変更し、図５のＡに戻る。
【００４１】
本実施例では、ヒストグラムにフォーカスされている場合を例にしたが、画像を評価して得られる情報であるピーキング表示等でも特に有効である。適正にピントが合っている画像、適正より前にピントが合っている画像、適正より後ろにピントが合っている画像を用い、それぞれのピント位置にピーキング表示することで、ピント位置の表示を把握するための機能であることを容易に理解できる。このような画像を評価して得られる情報は、１枚だけを評価しても他の画像との評価の違いを認識しにくい。
【００４２】
そのため、本実施例のように、複数の画像を用意しておき、画像を切り替えるとともに対応する評価を示す表示（ヒストグラムやピーキング）を表示することの効果はより大きく、表示される情報の意味をユーザーが理解しやすい。グリッド表示と水準器についても複数の画像を用意しておき画像を切り替えるとともに対応する情報表示（グリッド表示や水準器）を表示してもよい。この場合、複数の画像として水平な画像、傾いた画像を用いることで、水平な画像を撮影しやすくする機能であることが理解しやすくなる。
【００４３】
また、本実施例では、ライブビュー表示画面のカスタマイズ画面を例にしたが、撮像機能のないカメラ以外にも、画像処理装置でも有効であり、画像再生画面のカスタマイズ画面で適用してもよい。例えば飽和画素の警告表示が適用でき、飽和画素の位置を変化させることで、飽和画素とはどのような表示になる状態であることが理解でき、飽和画素にどのような警告が行われるかが理解できる。
【００４４】
［実施例２］
図７を参照して、本発明の第２の実施例の動作を説明する。図７は、ライブビュー画面で表示する情報または機能を有効にするか無効にするかを選択する画面と、選択結果に応じたライブビューを模した画像を同一画面内に表示しない場合のライブビューカスタマイズ表示である。例えば、機能名が長いなどの理由で、図３（ａ）の表示ができない場合の表示形式である。
【００４５】
図７（ａ）はライブビューカスタマイズ画面である。図３（ａ）と同様に機能ごとに有効とするか無効とするかを選択できるが、ライブビューを模した画像が表示されないため、ヒストグラム７０１にチェックマーク７０６を付加しても、どのような表示になるかは即座にはわからない。
【００４６】
図７（ｂ）から図７（ｆ）は図７（ａ）の設定結果に応じたライブビューを模した画面である。図７（ａ）において、ヒストグラム７０１とグリッド７０３にチェックマーク７０６が付加されているため、ヒストグラム７０７とグリッド７０８を表示している。図７（ｂ）から図７（ｄ）はヒストグラム７０１に対応した画像であり、図７（ｅ）から図７（ｆ）はグリッド７０３に対応した画像である。図７（ｂ）は図４（ａ）と同様の画像とヒストグラムを表示した表示である。図７（ｃ）は図４（ｂ）と同様の画像とヒストグラムを表示した表示である。
【００４７】
図７（ｄ）は図４（ｃ）と同様の画像とヒストグラムを表示した表示である。図７（ｅ）は水平な画像とその画像に対応したヒストグラムを表示した表示である。図７（ｆ）は水平でない画像とその画像に対応したヒストグラムを表示した表示である。図７（ａ）を表示中に、情報表示切替ボタン５５を押下すると、図７（ｂ）の表示になり、ライブビューカスタマイズの結果を確認できる。このとき図７（ｂ）、図７（ｃ）、図７（ｄ）、図７（ｅ）、図７（ｆ）の順に所定の間隔で表示更新することで、表示を有効とした機能に関連する画像が表示されるため、有効とした機能の効果を理解できる。
【００４８】
図７（ｂ）、図７（ｃ）、図７（ｄ）と表示が変化することで、前述のとおり、露出とヒストグラムの関係が理解できる。図７（ｅ）、図７（ｆ）と表示が変化することで、グリッドを表示することで水平に撮影しやすくなることが理解できる。図７（ｂ）から図７（ｆ）を表示中に、情報表示切替ボタン５５を押下すると、図７（ａ）の表示になりライブビューカスタマイズの変更を継続できる。
【００４９】
なお、上述の各実施例においてシステム制御部１０１が実行するものとして説明した制御は１つのハードウェアが行ってもよいし、複数のハードウェアが処理を分担することで、装置全体の制御を行ってもよい。
【００５０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５１】
また、上述した実施形態においては、本発明をデジタルカメラに適用した場合を例にして説明したが、これはこの例に限定されず、画像を、画像に関する情報（上述のヒストグラム等の情報）とともに表示させることのできる表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００５２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５３】
５５  情報表示切替ボタン、５６  ＭＥＮＵボタン、６０  ライブビューボタン、
８０  上下左右ボタン、９０  ＳＥＴボタン、１０１  システム制御部、
１１１  表示部、１１４  不揮発性メモリ、
４０２  ライブビューを模した適正露出の画像、
４０３  ライブビューを模した適正露出の画像のヒストグラム、
４０５  ライブビューを模した露出オーバーの画像、
４０６  ライブビューを模した露出オーバーの画像のヒストグラム、
４０８  ライブビューを模した露出アンダーの画像、
４０９  ライブビューを模した露出アンダーの画像のヒストグラム
【図１】
2016058985.tif 000003
【図２】
2016058985.tif 000004
【図３】
2016058985.tif 000005
【図４】
2016058985.tif 000006
【図５】
2016058985.tif 000007
【図６】
2016058985.tif 000008
【図７】
2016058985.tif 000009